(57)【要約】【課題】足場板および隙間カバー部材の成形が容易であり、隙間カバー部材の長さ調節および交換が容易である足場装置を提供する。【解決手段】足場板12の端面幅方向に間隔をおいた２か所から、一対の架設用フック25、26が足場板12長さ方向に突出させられている。足場板12端面の両フック25、26間に、隣り合って架設される２つの足場板12、13の相対する端面間の隙間をカバーするための隙間カバー部材27が分離可能に合体されている。【選択図】図３
2012241480.tif 000002
【特許請求の範囲】
【請求項１】
足場板の端面幅方向に間隔をおいた２か所から、一対の架設用フックが足場板長さ方向に突出させられており、足場板端面の両フック間に、隣り合って架設される２つの足場板の相対する端面間の隙間をカバーするための隙間カバー部材が分離可能に合体されている足場装置。
【請求項２】
足場板の端面に、２つの水平状嵌合条溝が上下に間隔をおいて設けられており、隙間カバー部材に、２つの水平状嵌合突条が上下に間隔をおいて形成されており、足場板の端面に隙間カバー部材が取付られた状態で、上嵌合条溝および上嵌合突条と、下嵌合条溝および下嵌合突条とがそれぞれはめ合わされるようになされている請求項１に記載の足場装置。
【請求項３】
上嵌合条溝の上側開口縁部に、横断面凸円弧状のガイド面が設けられており、上嵌合突条の上側側面に、横断面凹円弧状の被ガイド面が設けられており、上嵌合条溝および上嵌合突条がはめ合わされて、ガイド面および被ガイド面のなす円弧の中心が一致させられた状態で、同円弧の中心周りに隙間カバー部材が上下揺動自在であり、下嵌合条溝および下嵌合突条とがそれぞれはめ合わされた第１位置から、隙間カバー部材を第２位置および第３位置を経由して上向きに揺動させる過程において、第２位置では、下嵌合条溝および下嵌合突条がはめ外しされるが、上嵌合条溝および上嵌合突条のはめ外しは不可であり、第３位置では、上嵌合条溝および上嵌合突条のはめ外しは自由となされている請求項２に記載の足場装置。
【発明の詳細な説明】
【技術分野】
【０００１】
この発明は、建設工事現場等において足場板を架設するための足場装置に関する。
【背景技術】
【０００２】
この種の足場装置としては、足場板に隙間カバー部材が一体成形されているものが知られている。
【０００３】
この成形の手順としては、足場板を隙間カバー部材を含む長さに成形し、隙間カバー部材となるべき部分を残して、足場板の両角部を切り取り、その切り取った部分から架設用フックを突出させるようにしていた。
【０００４】
他の足場装置としては、足場板端面の両フック間に、隣り合って架設される２つの足場板の相対する端面間の隙間をカバーするための隙間カバー部材が溶接によって接合されているものが知られている。
【０００５】
上記２種の従来足場装置では、切り取り作業または溶接作業が必要であり、作業手順が面倒である。
【０００６】
一方、足場装置において、例えば、階段を架設する場合、階段を架設するための両フックの間隔が、足場板の両フックの間隔と相違することがある。その場合、両フックの間隔に合わせて、隙間カバー部材の長さを調節する必要がある。切り取り作業または溶接作業により隙間カバー部材を成形すると、その長さ調節は容易ではない。さらに、隙間カバー部材が損傷した場合、隙間カバー部材の交換は容易ではない。
【発明の概要】
【発明が解決しようとする課題】
【０００７】
この発明の目的は、足場板および隙間カバー部材の成形が容易であり、隙間カバー部材の長さ調節および交換が容易である足場装置を提供することにある。
【課題を解決するための手段】
【０００８】
この発明による足場装置は、足場板の端面幅方向に間隔をおいた２か所から、一対の架設用フックが足場板長さ方向に突出させられており、足場板端面の両フック間に、隣り合って架設される２つの足場板の相対する端面間の隙間をカバーするための隙間カバー部材が分離可能に合体されているものである。
【０００９】
この発明による足場装置では、足場板および隙間カバー部材を別々に成形し、双方を合体させればよい。したがって、足場板および隙間カバー部材を容易に成形することができ、隙間カバー部材の長さ調節および交換を容易に行うことができる。
【００１０】
さらに、足場板の端面に、２つの水平状嵌合条溝が上下に間隔をおいて設けられており、隙間カバー部材に、２つの水平状嵌合突条が上下に間隔をおいて形成されており、足場板の端面に隙間カバー部材が取付られた状態で、上嵌合条溝および上嵌合突条と、下嵌合条溝および下嵌合突条とがそれぞれはめ合わされるようになされていると、二重の嵌合構造によって、足場板および隙間カバー部材を確実に合体させることができる。
【００１１】
また、上嵌合条溝の上側開口縁部に、横断面凸円弧状のガイド面が設けられており、上嵌合突条の上側側面に、横断面凹円弧状の被ガイド面が設けられており、上嵌合条溝および上嵌合突条がはめ合わされて、ガイド面および被ガイド面のなす円弧の中心が一致させられた状態で、同円弧の中心周りに隙間カバー部材が上下揺動自在であり、下嵌合条溝および下嵌合突条とがそれぞれはめ合わされた第１位置から、隙間カバー部材を第２位置および第３位置を経由して上向きに揺動させる過程において、第２位置では、下嵌合条溝および下嵌合突条がはめ外しされるが、上嵌合条溝および上嵌合突条のはめ外しは不可であり、第３位置では、上嵌合条溝および上嵌合突条のはめ外しは自由となされていると、上嵌合条溝および上嵌合突条が、隙間カバー部材を揺動させる際のガイドとしての機能を果たし、下嵌合条溝および下嵌合突条が、隙間カバー部材の荷重を受けさせる機能を果たすことができる。したがって、足場板および隙間カバー部材の合体作業を容易に行うことができ、安定な合体構造を得ることができる。
【発明の効果】
【００１２】
この発明によれば、足場板および隙間カバー部材の成形が容易であり、隙間カバー部材の長さ調節および交換が容易である足場装置が提供される。
【図面の簡単な説明】
【００１３】
【図１】この発明による足場装置の平面図である。
【図２】同側面図である。
【図３】同足場装置の要部拡大断面図である。
【発明を実施するための形態】
【００１４】
以下の説明において、前後とは、図１を基準として、図１伸した側を前、これと反対側を後といい、左右とは、図１の左右の側を後というものとする。
【００１５】
図１および図２を参照すると、前後方向にのびた水平状ビーム11に、左足場板12および右足場板13が隣り合って架設されている。両足場板12、13は、同一構造のものである。以下、左足場板12について説明する。右足場板13については、左右を逆に読み替えるものとし、左足場板12と対応する部部には同一の符合を付して、その詳細説明は省略する。
【００１６】
足場板12は、前後方向に間隔をおいた互いに平行にのびている前縦部材21および後縦部材22と、両縦部材21、22の右端部に渡されている端部材23と、両縦部材21、22および端部材23によって囲まれたスペースに被覆されている天板24と、前縦部材21の右端部から右方に突出させられかつビーム11に掛け止められている前フック25と、後縦部材22の右端部から右方に突出させられかつビーム11に掛け止められている後フック26と、端部材23の右側面の両フック25、26間から右方に突出させられかつ端部材23の右側面およびビーム11頂点間の隙間をカバーしている隙間カバー部材27とを備えている。
【００１７】
図３に、端部材23および隙間カバー部材27が詳細に示されている。端部材23および隙間カバー部材27は、いずれも、アルミニウム押出型材製のものである。
【００１８】
端部材23は、下方を開口した横断面コ字状のもので、滑止突条付水平状頂壁31、垂直状左側壁32および垂直状右側壁33よりなる。
【００１９】
右側壁33の上端部には水平状上嵌合条溝41が、その高さの中程には水平状下嵌合条溝42がそれぞれ形成されている。上嵌合条溝41は、右方開放かつ左上り傾斜状の横断面輪郭略Ｕ字をなすものである。上嵌合条溝41の上側開口縁部には、横断面凸円弧状ガイド面43が設けられている。下嵌合条溝42は、右方開放かつ水平状の横断面輪郭略Ｕ字をなすものである。
【００２０】
隙間カバー部材27は、横断面三角形状のもので、滑止突条付平板状カバー壁51と、カバー壁51の基部から垂下させられてカバー壁51に対して直交させられている支持壁52と、カバー壁51の先端部および支持壁52の高さの中程下寄りの部分を連絡している補強壁53とよりなる。
【００２１】
支持壁52の上端部には水平状上嵌合突条61が、その高さの中程には水平状下嵌合突条62がそれぞれ左方突出状に設けられている。上嵌合突条61は、上嵌合条溝41に対して補完関係にあって、左上り傾斜状の横断面輪郭略Ｕ字をなすものである。上嵌合突条61の上側側面には、ガイド面43に対応する横断面凹円弧状被ガイド面63が設けられている。下嵌合突条62は、下嵌合条溝42に対して補完関係にあって、水平状の横断面輪郭略Ｕ字をなすものである。
【００２２】
上嵌合条溝41に上嵌合突条61が、下嵌合条溝42に下嵌合突条62がそれぞれはめ合わされている。
【００２３】
この状態で、ガイド面43および被ガイド面63は、互いに合致させられ、双方のなす円弧の中心は合致させられている。右側壁33および支持壁52は、互いに重ね合わされかつリベット71によって固定されている。
【００２４】
図３に実線で示す状態において、隙間カバー部材27は、第１位置P1に位置させられている。第１位置P1の隙間カバー部材27を、上記円弧の中心の周りに上向きに揺動させると、隙間カバー部材27は、第２位置P2を経由して、第３位置P3に達する。第２位置P2および第３位置P3の隙間カバー部材27は、鎖線で示されている。第２位置P2では、下嵌合条溝42から下嵌合突条62がはめ外されている。第３位置P3では、上嵌合条溝41から上嵌合突条61がはめ外されている。
【００２５】
隙間カバー部材27を上向きに揺動させる場合とは逆に、第３位置P3の隙間カバー部材27を下向きに揺動させると、上嵌合条溝41に上嵌合突条61がはめ入れられる。上嵌合条溝41に上嵌合突条61がはめ入れられる過程において、ガイド面43の下端を被ガイド面63の上端が通過すると、上嵌合条溝41から上嵌合突条61がはめ外すことが不可となる。第２位置P2の隙間カバー部材27を下向きに揺動させると、下嵌合条溝42に下嵌合突条62がはめ入れられる。
【産業上の利用可能性】
【００２６】
この発明による足場装置は、建設工事現場等において足場板を架設することを達成するのに適している。
【符号の説明】
【００２７】
12、13  足場板
25、26  フック
27  隙間カバー部材
【図１】
2012241480.tif 000003
【図２】
2012241480.tif 000004
【図３】
2012241480.tif 000005